(57)【要約】【課題】複数列の内輪が外輪によって一体化される複列円筒ころ軸受において、簡素な構造によって内輪相互間の分離を防止し、製造が容易で製造コストの低減を図る。【解決手段】複数の円筒ころ１２、１３の軌道面１４ａ、１４ｂを有する一体型の外輪１４と、円筒ころの軌道面１５ａ、１６ａを有する複数の内輪１５，１６を備えた複列円筒転がり軸受１１であって、隣接する内輪の接触部１５ｃ、１６ｃを一方が凹で他方が凸のインロー形状として嵌め合わせて締結し、内輪１５と内輪１６を内輪１５の接触面１５ｄと内輪１６の接触面１６ｄの表面摩擦力によって締結する。【選択図】図１
2013124688.tif 000002
【特許請求の範囲】
【請求項１】
複数の円筒ころの軌道面を有する一体型の外輪と、
前記円筒ころの軌道面を有する複数の内輪とを備えた複列円筒転がり軸受であって、
前記隣接する内輪の接触部を一方が凸で他方が凹のインロー形状として前記内輪を嵌め合わせにより締結することを特徴とする複列円筒ころ軸受。
【請求項２】
前記隣接する内輪の接触部を一方が凸で他方が凹の垂直の段差形状とすることを特徴とする請求項１に記載の複列円筒ころ軸受。
【請求項３】
前記隣接する内輪の接触部を一方が凸で他方が凹のテーパ形状とすることを特徴とする請求項１に記載の複列円筒ころ軸受。
【請求項４】
前記内輪が接する軸および前記複数の内輪が回転せず、前記外輪を介して前記複数の円筒ころが回転することを特徴とする請求項１から３のいずれかに記載の複列円筒ころ軸受。
【発明の詳細な説明】
【技術分野】
【０００１】
本発明は、単列の転動面を備えた円筒ころ軸受を２列に並べて使用する複列転がり軸受に関し、前記複列円筒ころ軸受を複数個使用するクレーンシーブ用転がり軸受に関する。
【背景技術】
【０００２】
従来のクレーンシーブ用複列円筒ころ軸受は、図５に示すように、２個のころ５１ａ、５１ｂと、各ころ列毎に分割された２個の内輪５２ａ、５２ｂと、内輪５２ａ、５２ｂの軌道面５３ａ、５３ｂが形成された一体型の外輪５３と備え、内輪５２ａ、５２ｂを連結する内輪結合輪５４によって内輪５２ａ、５２ｂの分離を防止しているが、他に、外輪軌道面の両外側に形成した嵌合溝に止め輪を設置するものや（例えば、特許文献１参照）、内輪の内側に設けた環状溝に鍔を嵌め込んで内輪の分離を防止するものがある（例えば、特許文献２参照）。
【先行技術文献】
【特許文献】
【０００３】
【特許文献１】特開平１１−１０１２２８号公報
【特許文献２】特開２００１−１４０８６８号公報
【発明の概要】
【発明が解決しようとする課題】
【０００４】
しかしながら、従来のクレーンシーブ用複列円筒ころ軸受は、内輪５２ａ，５２ｂの内径面に内輪結合輪５４嵌合用の複雑な溝を形成するために加工工数が増大し、内輪結合輪５４を組み込むプレス加工が必要になり、製造コストが増大する。また、特許文献１および特許文献２においては、外輪軌道面の両外側に嵌合溝を設けて止め輪したり、内輪の内側に環状溝を設けて結合リングを嵌め込んだりするため、組立作業性が煩雑になる問題が有った。
【０００５】
本発明は、このような問題点に鑑みてなされたもので、その目的とするところは、複数列の内輪が外輪によって一体化される円筒ころ軸受において、簡素な構造によって内輪相互間の分離を防止し、製造が容易で製造コストを低減することにある。
【課題を解決するための手段】
【０００６】
上記の目的を達成するため、本発明の複列円筒ころ軸受は、複数の円筒ころの軌道面を有する一体型の外輪と、円筒ころの軌道面を有する複数の内輪とを備えた複列円筒転がり軸受であって、隣接する内輪の接触部を一方が凸で他方が凹のインロー形状として内輪を嵌め合わせにより締結することを特徴とする。
【発明の効果】
【０００７】
本発明によれば、複列の内輪が外輪によって一体化される円筒ころ軸受において、簡素な構造によって内輪相互間の分離を防止し、製造が容易で製造コストを低減することができる。
【図面の簡単な説明】
【０００８】
【図１】本発明の第1の実施形態に係る複列円筒ころ軸受の断面図
【図２】本発明の第1の実施形態に係る複列円筒ころ軸受の内輪の締結状態を説明する斜視図
【図３】本発明の第２の実施形態に係る複列円筒ころ軸受の要部の断面図
【図４】本発明の第３の実施形態に係る複列円筒ころ軸受の要部の断面図
【図５】従来のクレーンシーブ用複列転がり軸受の断面図
【発明を実施するための形態】
【０００９】
以下、図面に基づき、本発明の実施形態について説明する。第１の実施形態は、隣接する内輪の接触部を一方が凸で他方が凹の垂直の段差形状とする例であり、第２の実施形態は隣接する内輪の接触部を一方が凸で他方が凹のテーパ形状とする例であり、第３の実施形態は内輪の軌道面の互いに隣接する側のつば部をなくした例である。
【００１０】
図１は、本発明の第1の実施形態に係る複列円筒ころ軸受の断面図である。図1に示すように、複列円筒ころ軸受１１は、２個の円筒ころ１２、１３の軌道面１４ａ、１４ａ‘を有する一体型の外輪１４と、円筒ころ１２の軌道面１５ａを有し軌道面１５ａの両脇につば１５ｂ、１５ｂ‘が形成された内輪１５と、円筒ころ１３の軌道面１６ａを有し軌道面１６ａの両脇につば１６ｂ、１６ｂ‘が形成された内輪１６とを備え、内輪１５に設けた内輪１６との接触部１５ｃと、内輪１６に設けた内輪１５との接触部１６ｃを、凹凸のインロー形状に形成して互いに嵌め合わせ内輪１５と内輪１６を締結する。また、内輪１５と内輪１６の接触部１５ｃ、１６ｃと反対の外輪１４の両端部には溝１７が設けられてシールド板１８が装着されている。
【００１１】
図２は、本発明の第1の実施形態に係る複列円筒ころ軸受の内輪の締結状態を説明する斜視図である。図２に示すように、内輪１６と隣接する内輪１５の隣接部１５ｃは、凹の垂直の段差形状に形成され、内輪１５と隣接する内輪１６の隣接部１６ｃは、凸の垂直の段差形状に形成される。内輪１５と内輪１６は、互いに嵌め合わされ、内輪１５の隣接部１６ｃの円筒形の接触面１５ｄと、内輪１６の隣接部１６ｃの円筒形の接触面１６ｄは軸方向に長さＷの幅で面接触している。
【００１２】
円筒ころ１２が内輪１５のつば１５ｂを軸方向外向きに押す力と円筒ころ１３が内輪１６のつば１６ｂ‘を軸方向外向きに押す力は、内輪１５と内輪１６を分離させるように作用するが、インロー形状に嵌め合わされた接触面１５ｄと接触面１６ｄが形成する長さＷの幅の円筒形の表面の摩擦力によって内輪１５と内輪１６の分離が防止される。
【００１３】
以上、詳細に説明したように、第１の実施形態によれば、内輪１６と隣接する内輪１５の隣接部１５ｃを凹の垂直の段差形状とし、内輪１５と隣接する内輪１６の隣接部１６ｃを凸の垂直の段差形状として内輪１５と内輪１６を嵌め合わせて締結したので、接触面１５ｄと接触面１６ｄが形成する長さＷの幅の円筒形の表面摩擦力によって内輪１５と内輪１６の分離が防止できる。
【００１４】
また、内輪１６と隣接する内輪１５の隣接部１５ｃを凹の垂直の段差形状とし、内輪１５と隣接する内輪１６の隣接部１６ｃを凸の垂直の段差形状として内輪１５と内輪１６の分離を防止したので、他に分離を防止するための部品が必要なく、簡素な構造になり、製造が容易で製造コストの低減を図ることができる。
【００１５】
図３は、本発明の第２の実施形態に係る複列円筒ころ軸受の要部の断面図である。図１および図２と同じ構成には同じ符号を付与して説明を省略する。図３に示すように、複列円筒ころ軸受２１の内輪２６と接する内輪２５の隣接部２５ｃは、凹のテーパ形状に形成され、内輪２５と接する内輪２６の隣接部２７ｃは、凸のテーパ形状に形成される。内輪２５と内輪２６は、互いに嵌め合わされ、内輪２５の隣接部２５ｃの端にいくほど円錐形状に開いた接触面２５ｄと、内輪２６の隣接部２７ｃの端にいくほど円錐形状に閉じた接触面２６ｄは軸方向から斜めに長さＴの幅で面接触している。
【００１６】
円筒ころ１２が内輪２５のつば２５ｂを外向きに押す力と円筒ころ２３が内輪２６のつば２６ｂ‘を外向きに押す力は、内輪２５と内輪２６を分離させるように作用するが、長さＴの幅で互いに斜めに形成された接触面２５ｄと接触面２６ｄの円錐形の表面摩擦力によって内輪１５と内輪１６の分離が防止される。
【００１７】
以上、詳細に説明したように、第２の実施形態によれば、内輪２６と隣接する内輪２５の隣接部２５ｃを凹のテーパ形状とし、内輪２５と隣接する内輪２６の隣接部２７ｃを凸のテーパ形状としたので、互いの内輪２５、２６がテーパ形状に案内され容易に嵌め合わせることが出来る。
【００１８】
図４は、本発明の第３の実施形態に係る複列円筒ころ軸受の要部の断面図である。図１および図２と同じ構成には同じ符号を付与して説明を省略する。図４に示すように、複列円筒ころ軸受３１は図１において、図１の第１の実施形態に示す内輪１５の内輪１６側のつば１５ｂ’および内輪１６の内輪１５側のつば１６ｂを無くしたものである。内輪１５のつば１５ｂ‘および内輪１６のつば１６ｂは、円筒ころ１２が内輪３５のつば３５ｂを外向きに押す力と円筒ころ１３が内輪３６のつば３６ｂ’を外向きに押す力に対抗するものではないので、第１の実施形態において内輪１５のつば１５ｂおよび内輪１６のつば１６ｂ’を無くしても、第１の実施形態と同様の効果が期待できる。
【００１９】
なお、本発明の第１から第３の実施形態は、内輪１５、内輪１６と接する軸、内輪１５および内輪１６が回転せず、複数個の円筒ころ１２、１３を介して外輪１４が回転するクレーンシーブ用軸受などに適する。
【符号の説明】
【００２０】
１１、２１、３１・・・複列円筒ころ軸受
１２，１３・・・円筒ころ
１４・・・外輪
１５、１６、２５、２６・・・内輪
１４ａ、１４ａ’、１５ａ、１６ａ・・・軌道面
１５ｂ、１５ｂ’、１６ｂ、１６ｂ’、３５ｂ、３６ｂ’・・つば
１７・・・溝
１８・・・シールド板
Ｗ・・接触面の軸方向に長さ
Ｔ・・・接触面の長さ
【図１】
2013124688.tif 000003
【図２】
2013124688.tif 000004
【図３】
2013124688.tif 000005
【図４】
2013124688.tif 000006
【図５】
2013124688.tif 000007